(57)【要約】【課題】ＰＯＮ伝送システムに関し、局側通信装置の処理負荷を増加することなく、ダイナミックに帯域割当てを行う。【解決手段】局側通信装置１と複数の加入者側通信装置２−１〜２−ｎと図示を省略した光スターカプラにより分岐した光伝送路とを有するＰＯＮ伝送システムであって、加入者側通信装置は、上りパケットをカウントするパケットカウンタと、所定時間毎の上りパケット数に従って帯域要求情報を生成する上りパケット情報演算回路と、帯域要求情報とポートリンク状態情報とを含むパケットを局側通信装置１へ送出するＰＯＮ制御部とを含み、局側通信装置１は、加入者側通信装置からの帯域要求情報を保持する帯域要求情報保持メモリと、加入者側通信装置の登録により、初期帯域割当てを行い、且つ帯域要求情報に従って帯域割当てを変更する上り帯域制御回路と、帯域割当通知を前記加入者側通信装置に送出するＰＯＮ制御部とを含む構成を有する。【選択図】　　　図１
2004104278.tif 000002
【特許請求の範囲】
【請求項１】
局側通信装置と複数の加入者側通信装置とを光スターカプラにより分岐した光伝送路により接続したＰＯＮ伝送システムに於いて、
前記加入者側通信装置は、前記局側通信装置へ送信する上りパケットをカウントするパケットカウンタと、該パケットカウンタによる所定時間毎のパケット数に従って帯域要求情報を生成する上りパケット情報演算回路と、該上りパケット情報演算回路により生成した帯域要求情報及びポートリンク状態情報を含むパケットを前記局側通信装置へ送出するＰＯＮ制御部とを有し、
前記局側通信装置は、前記加入者側通信装置からの帯域要求情報を保持する帯域要求情報保持メモリと、前記加入者側通信装置の登録により該加入者側通信装置に対する初期帯域割当てを行い、且つ前記帯域要求情報に従って帯域割当てを変更する上り帯域制御回路と、帯域割当通知を前記加入者側通信装置に送出するＰＯＮ制御部とを有する
ことを特徴とするＰＯＮ伝送システム。
【請求項２】
前記加入者側通信装置の前記上りパケット情報演算回路は、前記パケットカウンタによる所定時間毎のカウント値の上位ビットのみを、前記局側通信装置に送信する帯域要求情報の上りパケット数情報とする構成を有することを特徴とする請求項１記載のＰＯＮ伝送システム。
【請求項３】
前記加入者側通信装置の前記上りパケット情報演算回路は、前記パケットカウンタによる所定時間毎のカウント値の有効最上位ビット位置を、前記局側通信装置に送信する帯域要求情報の上りパケット数情報とする構成を有することを特徴とする請求項１記載のＰＯＮ伝送システム。
【発明の詳細な説明】
【０００１】
【発明の属する技術分野】
本発明は、局側通信装置と、光スターカプラにより分岐した光伝送路を介して複数の加入者側通信装置とを接続して、光信号によるパケット伝送を行うＰＯＮ伝送システムに関する。
【０００２】
【従来の技術】
光伝送システムの一つとして、ＰＯＮ（Ｐａｓｓｉｖｅ　Ｏｐｔｉｃａｌ　Ｎｅｔｗｏｒｋ）伝送システムが知られている。例えば、図９に示すように、局側通信装置５１と、複数の加入者側通信装置５２−１〜５２−ｎとを、光スターカプラ５３により分岐した光伝送路５４を介して接続した構成を有するものである。そして、局側通信装置５１から加入者側通信装置５２−１〜５２−ｎに対する下り方向に送信した光信号によるパケットは、光スターカプラ５３により分岐されて全加入者側通信装置５２−１〜５２−ｎに伝送される。従って、各加入者側通信装置５２−１〜５２−ｎは、自アドレスと宛先アドレスとを照合して、自アドレスと一致したパケットを受信処理する。
【０００３】
又加入者側通信装置５２−１〜５２−ｎから局側通信装置５１に対する上り方向の光信号によるパケットは、局側通信装置５１によって割当てられた帯域に従ったタイミングで送信し、光スターカプラ５３により多重化されて局側通信装置５１に伝送される。加入者側通信装置５２−１〜５２−ｎに割当てる帯域は、局側通信装置５１と光スターカプラ５３との間の多重化伝送帯域を、加入者側通信装置数に対応して割当てる場合が一般的である。
【０００４】
このように固定的に帯域を割当てた場合、通信を行っていない加入者側通信装置に割当てた分の帯域は使用されないので、システム全体としての伝送効率が低いものとなる。そこで、帯域を適応的に割当てるシステムが各種提案されている。例えば、局側通信装置と加入者側通信装置とにそれぞれバッファメモリを設けて、局側通信装置から加入者側通信装置に伝送する場合の局側通信装置の送信バッファメモリの蓄積量と、加入者側通信装置の受信バッファメモリの蓄積量とを、局側通信装置に於いて収集し、局側通信装置から加入者側通信装置に対する帯域割当てをダイナミックに行い、又は、局側通信装置の受信バッファメモリの蓄積量と加入者側通信装置の送信バッファメモリの蓄積量とを局側通信装置に於いて収集し、加入者側通信装置から局側通信装置に対する帯域割当てをダイナミックに行うＰＯＮ伝送システムが知られている（例えば、特許文献１参照）。
【０００５】
又ＡＴＭ網と接続した局側通信装置に於いて、ＡＴＭ網側からのリソース管理セルによるＡＴＭ網の輻輳の有無の判定と、加入者側通信装置から局側通信装置に送信するパケットの有無によるアクティブ状態であるか否かの判定とに基づいて、加入者側通信装置から局側通信装置に対する帯域割当てをダイナミックに制御するＰＯＮ伝送システムが知られている（例えば、特許文献２参照）。
【０００６】
【特許文献１】
特許第３１８０７４５号公報
【特許文献２】
特開２０００−３３２８０８号公報
【０００７】
【発明が解決しようとする課題】
複数の加入者側通信装置を光スターカプラを介して局側通信装置と接続したＰＯＮ伝送システムに於いては、複数の加入者側通信装置から局側通信装置に対して時分割多重により送信することになり、その時の帯域をダイナミックに制御して、システム全体の伝送効率を向上することができる。
【０００８】
しかし、バッファメモリの蓄積量を監視して、加入者側通信装置に対する帯域割当てを制御する従来例に於いては、バッファメモリをソフト処理により監視して制御を行うものであり、回路構成の複雑さの為に開発コストが高くなる問題がある。又ＡＴＭ網からのリソース管理セルによるＡＴＭ網側の輻輳の有無等を基に加入者側通信装置に対する帯域割当てを制御する従来例に於いては、ＡＴＭ網に局側通信装置を接続したシステムに特化したもので、他のＬＡＮ（ローカル・エリア・ネットワーク）等のネットワークと接続したシステムには適用できないと共に、局側通信装置に於いて総てを管理して制御するものであるから、局側通信装置の処理負担の増加が問題となる。
本発明は、局側通信装置に於ける処理負担が増加することなく、ダイナミックに加入者側通信装置に対する帯域割当てることを目的とする。
【０００９】
【課題を解決するための手段】
本発明のＰＯＮ伝送システムは、図１を参照して説明すると、局側通信装置１と複数の加入者側通信装置２−１〜２−ｎとを、図示を省略した光スターカプラにより分岐した光伝送路により接続したＰＯＮ伝送システムであって、加入者側通信装置２−１〜２−ｎは、局側通信装置１へ送信する上りパケットをカウントするパケットカウンタと、このパケットカウンタによる所定時間毎のパケット数に従って帯域要求情報を生成する上りパケット情報演算回路と、この上りパケット情報演算回路により生成した帯域要求情報とポートリンク状態情報とを含むパケットを、局側通信装置１へ送出するＰＯＮ制御部とを含む構成を有する。又局側通信装置１は、加入者側通信装置２−１〜２−ｎからの帯域要求情報を保持する帯域要求情報保持メモリと、加入者側通信装置２−１〜２−ｎの登録により、加入者側通信装置に対する初期帯域割当てを行い、且つ帯域要求情報に従って帯域割当てを変更する上り帯域制御回路と、帯域割当通知を前記加入者側通信装置に送出するＰＯＮ制御部とを含む構成を有するものである。
【００１０】
又加入者側通信装置２−１〜２−ｎの上りパケット情報演算回路は、パケットカウンタによる所定時間毎のカウント値の上位ビットのみを、局側通信装置１に送信する帯域要求情報の上りパケット数情報とする構成とすることができる。又加入者側通信装置の上りパケット情報演算回路は、パケットカウンタによる所定時間毎のカウント値の有効最上位ビット位置を、局側通信装置に送信する帯域要求情報の上りパケット数情報とする構成とすることができる。
【００１１】
【発明の実施の形態】
図１は本発明の実施の形態の説明図であり、局側通信装置１と、複数の加入者側通信装置２−１〜２−ｎとの間を、図示を省略した光スターカプラにより分岐した光伝送路により接続したＰＯＮ伝送システムに於いて、ダイナミックに帯域割当てを行う為に、局側通信装置１は、加入者側通信装置２−１〜２−ｎの登録，削除の機能と、初期帯域の割当，削除の機能と、帯域要求に従った帯域割当制御の機能とを有し、又加入者側通信装置２−１〜２−ｎは、ポートリンク状態の取得機能と、上りパケット数情報取得機能と、局側通信装置に対する帯域要求送信機能とを有するものである。なお、ポートリンク状態は、加入者側通信装置２−１〜２−ｎと、その配下の加入者端末やＬＡＮ（ローカル・エリア・ネットワーク）のハブ等との間のリンク状態を示し、又局側通信装置１から加入者側通信装置２−１〜２−ｎ方向を下り、反対に加入者側通信装置２−１〜２−ｎから局側通信装置方向を上りとする。
【００１２】
局側通信装置１は、登録を確認した加入者側通信装置に対して初期帯域を割当て、この初期帯域を割当てた加入者側通信装置からの帯域要求通知を受信して、帯域を変更することができる。従って、例えば、（１）　加入者側通信装置２−１を登録すると、（２）　加入者側通信装置２−１に対して初期帯域を割当てる。この状態で、加入者側通信装置２−１は初期帯域内で上りパケットの送信が可能である。そして、その後、（３）　加入者側通信装置２−１は、局側通信装置１に対して帯域要求を送信することができる。この帯域要求は、加入者側通信装置２−１に於ける送信パケット数をカウントし、そのカウント数を基に行うものである。局側通信装置１は、この帯域要求に対して、他の加入者側通信装置に割当てた帯域との関係に従って新たな帯域の割当てを行う。即ち、ダイナミックに帯域割当てを行うことができる。
【００１３】
図２は、図１に於ける局側通信装置１の本発明の実施の形態の要部説明図であり、１１はＰＯＮ制御部、１２は電気−光変換部（Ｏ／Ｅ，Ｅ／Ｏ）、１３は帯域要求情報保持メモリ、１４は上り帯域制御回路、１５は帯域制御タイミング制御部である。
【００１４】
電気−光変換部１２は、図示を省略した光伝送路を接続し、光スターカプラにより分岐した光伝送路を介して加入者側通信装置に接続して、電気信号と光信号との相互の変換を行うものである。又帯域要求情報保持メモリ１３は、加入者側通信装置からの帯域要求情報を受信して保持し、上り帯域制御回路１４に転送する。上り帯域制御回路１４は、所定周期の帯域制御タイミング制御部１５からのタイミング信号により、帯域要求情報に従った加入者側通信装置に対する帯域割当情報を生成してＰＯＮ制御部１１に転送する。ＰＯＮ制御部１１は、帯域割当情報を含むパケットを生成し、電気−光変換部１２に於いて光信号に変換し、光伝送路を介して加入者側通信装置へ送信する。
【００１５】
図３は、図１に於ける加入者側通信装置２−１〜２−ｎの中の１台の加入者側通信装置２を代表として示す本発明の実施の形態の要部説明図であり、２１はＰＯＮ制御部、２２は電気−光変換部（Ｏ／Ｅ，Ｅ／Ｏ）、２３はパケットカウンタ、２４は上りパケット情報演算回路、２５は帯域要求タイミング制御部である。
【００１６】
電気−光変換部２２は、電気信号と光信号との相互の変換を行うものであり、図示を省略した光伝送路と光スターカプラとを介して局側通信装置と接続する。又ＰＯＮ制御部２１は、図示を省略した加入者端末やハブと電気−光変換部２２との間に設けて、下りパケットは、宛先アドレスが自装置か否かを判定し、自装置の場合に受信処理し、又局側通信装置１からの帯域割当通知に従った上り帯域内のタイミングで上りパケットを送信処理する。この場合の送信タイミング制御の為のパケットのバッファリング機能を備えている。又上りパケットをパケットカウンタ２３によりカウントアップする。この場合、所定時間内のカウント数を上りパケット情報演算回路２４に通知する。この所定時間は、帯域要求タイミング制御部２５からのタイミング信号に従ったものとする。
【００１７】
上りパケット情報演算回路２４は、パケットカウンタ２３による所定時間内の上りパケットのカウント数を帯域要求情報とし、所定周期の帯域要求タイミング制御部２５からのタイミング信号に従って、ＰＯＮ制御部２１に帯域要求情報を転送し、ＰＯＮ制御部２１は、この帯域要求情報とポートリンク状態情報とを含むパケットを生成し、電気−光変換部２２により光信号に変換したパケットを局側通信装置１に対して送信する。この場合、上りパケット数が所定値を超えた時のみ、帯域要求情報を送出することも可能である。
【００１８】
図４は加入者側通信装置２のパケットカウンタ２３の説明図であり、（Ａ）は１２ビット構成Ｂ０〜Ｂ１１のパケットカウンタの場合のカウント内容の一例を示し、上位５ビットＢ７〜Ｂ１１の例えば“００１１０”を局側通信装置１への送信対象カウント数とし、下位７ビットＢ０〜Ｂ６は丸め込みとした場合を示す。又（Ｂ）は、局側通信装置１に於ける帯域要求情報保持メモリ１３の一例を示し、加入者側通信装置２−１〜２−ｎ対応のｎ列構成のメモリ領域を有するもので、（Ａ）のパケットカウンタのカウント内容に於ける局側通信装置への送信対象の上位５ビットＢ７〜Ｂ１１に対応する５ビットＴ，Ｔ−１，Ｔ−２，Ｔ−３，Ｔ−４構成の上りパケット数情報を帯域要求情報とした場合を示す。
【００１９】
図５はパケットの説明図であり、４０ビット構成のＨｅａｄｅｒはヘッダ情報、１０ビット構成のＤＬ−ｓはＰＯＮ制御領域開始表示情報、１０ビット構成のＤＬ−ｅはＰＯＮ制御領域終了表示情報、４０ビット構成のＰＯＮＣはＰＯＮ制御情報、１５３６０ビット構成のＤＡＴＡはユーザデータ領域を示す。又ＰＯＮ制御情報ＰＯＮＣは、最上位ビットＭＳＢから最下位ビットＬＳＢまでの３２ビット構成を、４Ｂ５Ｂ変換によって４０ビット構成とした場合を示す。
【００２０】
このＰＯＮ制御情報ＰＯＮＣに於けるＰａｒｉｔｙはパリティビット、ＰＣＮＴは上りパケット数情報、ＡＵＴＯはオートネゴシェーションＯＮ／ＯＦＦビット、ＢａｃｋＰｒｅｓｓはバックプレッシャービット、ＬＩＮＫはポートリンク状態情報、１０Ｍ／１００Ｍは伝送速度に対応した接続ケーブル種別情報、Ｆｄｘはフロー制御ＯＮ／ＯＦＦビットを示し、本発明の実施の形態に於けるポートリンク状態情報ＬＩＮＫと上りパケット数情報ＰＣＮＴとを、ＰＯＮ制御情報ＰＯＮＣの未使用ビットを用いて、局側通信装置に送信する場合を示す。
【００２１】
又上りパケット数情報ＰＣＮＴは１ビット構成とした場合であり、例えば、図４の（Ａ）のパケットカウンタによるカウント内容の上位５ビットの中の例えばビットＢ９以上のビット位置が“１”の場合に、“１”とし、その他は“０”として、少なくともパケット数が１０２４以上であることを表すように、予め設定することができる。又ＰＯＮ制御情報ＰＯＮＣの未使用ビットの中で３ビットを用いることができる場合、図４の（Ａ）のパケットカウンタによるカウント内容の上位５ビットの中の“１”の先頭位置を、アドレスポインタとして表すことができる。この場合、例えば、図４の（Ａ）に示すパケットカウンタのカウント内容に対しては、“０１１”として、“１”の先頭位置がビットＢ９であることを指示し、パケット数が４０９６以下、２０４８以上であることを表すことができる。即ち、５ビットを更に３ビットに圧縮して帯域要求情報の上りパケット数情報とすることができる。
【００２２】
図６は局側通信装置１の上り帯域制御回路１４に於ける帯域割当処理フローチャートを示し、加入者側通信装置を局側通信装置に登録したか否かを判定し（Ａ１）、登録無しの場合は、その加入者側通信装置に対する帯域割当ては無しとする（Ａ２）。又登録有りの場合は、ポートリンク状態情報ＬＩＮＫがＯＮか否かを判定する（Ａ３）。ポートリンク状態情報ＬＩＮＫは、加入者側通信装置に対して加入者端末やハブが接続されて動作可能の状態であるか否かを示すものであり、ポートリンク状態情報ＬＩＮＫがＯＮでない場合は、初期帯域割当てのみを行い（Ａ４）、少なくとも加入者端末を接続した時に、初期帯域内でパケット送信を可能とする。
【００２３】
又ポートリンク状態情報ＬＩＮＫがＯＮの場合、全加入者側通信装置の上りパケット数情報の合計値を求め、この合計値に対して、ポートリンク状態情報ＬＩＮＫがＯＮとなった加入者側通信装置の上りパケット数情報が占める割合を算出し（Ａ５）、その割合が０であるか否かを判定し（Ａ６）、割合が０の場合は、パケット送信をしていないので、ステップ（Ａ４）に移行して初期帯域割当ての状態のままとする。又割合が０でない場合は、上り帯域から初期帯域割当て分を除いた帯域について、ステップ（６）に於いて求めた割合だけ帯域を割当てる（Ａ７）。
【００２４】
又その後、パケット送信が終了し、ポートリンク状態情報ＬＩＮＫがＯＮでなくなると、図示を省略している処理ステップにより、初期帯域割当ての状態に戻すものである。従って、局側通信装置に登録した加入者側通信装置が上りパケットを送信し、所定時間内の上りパケット数が、全加入者側通信装置の所定時間内の上りパケット数の合計値に対する割合に従ってダイナミックに帯域割当てを行うことができる。
【００２５】
図７は帯域割当処理フローチャートを示し、例えば、１ビットの上りパケット数情報ＰＣＮＴを、帯域使用中か未使用中かを示すフラグとして用いる場合で、例えば、図４の（Ａ）に示すパケットカウンタのカウント内容のビットＢ７以上のビット位置に“１”が存在する場合に、“１”とし、それ以外は“０”とするフラグとして用いることができるもので、先ず、図６に示す場合と同様に、局側通信装置に加入者側通信装置が登録されたか否かを判定し（Ｂ１）、登録無しの場合は、帯域割当ては無しとする（Ｂ２）。又登録有りの場合は、ポートリンクＯＮか否か、即ち、加入者端末が接続されて通信可能か否かをポートリンク状態情報ＬＩＮＫにより判定し（Ｂ３）、ポートリンクＯＮでない場合は、初期帯域割当てのみを行う（Ｂ４）。
【００２６】
又ポートリンクＯＮの場合は、加入者側通信装置が帯域を要求したか否かを判定し（Ｂ５）、帯域要求無しの場合は、ステップ（Ｂ４）に移行する。又帯域要求、即ち、所定周期の帯域要求タイミングに於いて前述のフラグが“１”の場合に、帯域要求有りと判定し、帯域割当比率設定の有無を判定し（Ｂ６）、比率設定無しの場合は、上り全帯域から全加入者側通信装置に対する初期帯域割当分を除く帯域を、通信中の加入者側通信装置に対して均等に割当てる（Ｂ８）。又予め比率設定が行われている場合は、上り全帯域から登録された全加入者側通信装置に対する初期帯域割当分を除く帯域を、設定した比率に従って割当てる。
【００２７】
又その後、パケット送信が終了し、前述のポートリンク状態情報ＬＩＮＫがＯＮでなくなると、図示を省略している処理ステップにより、初期帯域割当ての状態に戻すものである。又加入者側通信装置に対するＱｏＳ（Ｑｕａｌｉｔｙ　ｏｆ　Ｓｅｒｖｉｃｅ）に従った帯域を予め割当て、他の加入者側通信装置に対して、前述のように上りパケット数情報等に従った比率で帯域割当をダイナミックに行うことも可能である。
【００２８】
図８は局側通信装置と加入者側通信装置との間の帯域割当てを行う場合のシーケンス説明図であり、局側通信装置１のＰＯＮ制御部１１に、加入者側通信装置２の登録要求があって、その加入者側通信装置２を登録すると、その加入者側通信装置２に初期帯域割当てを通知する。この通知は、ＰＯＮ制御部１１→電気−光変換部１２→光伝送路→電気−光変換部２２→ＰＯＮ制御部２１の経路で、加入者側通信装置２のＰＯＮ制御部２１に伝送される。
【００２９】
又加入者側通信装置２に加入者端末が接続され、それによるポートリンク状態通知がＰＯＮ制御部２１に入力され、又加入者端末からのパケットがＰＯＮ制御部２１に入力される。その時にパケットカウンタ２３によりカウントアップする。この場合、初期帯域割当てに従った帯域で加入者側通信装置２から局側通信装置１へパケットを送信する。
【００３０】
加入者側通信装置２の帯域要求タイミング制御部２５からの帯域要求依頼を上りパケット情報演算回路２４に通知すると、パケットカウンタ２３によりカウントしたパケット数を上りパケット情報とした帯域要求通知をＰＯＮ制御部２１から局側通信装置１に対して送信する。
【００３１】
この帯域要求通知は、局側通信装置１の帯域要求情報保持メモリ１３の加入者側通信装置対応の領域に保持され、帯域制御タイミング制御部１５からのタイミング信号により、上り帯域制御回路１４は、帯域要求情報を基に帯域割当ての演算処理を行ってＰＯＮ制御部１１に通知する。ＰＯＮ制御部１１は、この帯域割当情報を加入者側通信装置２に対して送出する。従って、加入者側通信装置２からの上りパケット数に対応して、ダイナミックに加入者側通信装置２の上り帯域を制御することができる。
【００３２】
本発明は、前述の各実施の形態のみに限定されるものではなく、種々付加変更することが可能であり、例えば、局側通信装置１に於いて、各加入者側通信装置からの帯域要求情報についての履歴を保持し、同一サービスレベルの加入者側通信装置からの帯域要求に対して、過去に最も割当てが少なかった加入者側通信装置に先に帯域を割当てる処理を行うことを可能である。又加入者側通信装置の帯域要求タイミング制御部２５によるタイミングの直後に、局側通信装置の帯域制御タイミング制御部１５によるタイミングとして、帯域要求に対して即座に局側通信装置１の上り帯域制御回路１４による帯域割当処理を行って通知する構成とすることも可能である。又局側通信装置の処理が増加したような場合に、前述の帯域制御タイミング制御部１５によるタイミングの周期を長くして、処理負荷を軽減し、その間の加入者側通信装置からの帯域要求情報を帯域要求情報保持メモリ１３に保持することも可能である。
【００３３】
（付記１）局側通信装置と複数の加入者側通信装置とを光スターカプラにより分岐した光伝送路により接続したＰＯＮ伝送システムに於いて、前記加入者側通信装置は、前記局側通信装置へ送信する上りパケットをカウントするパケットカウンタと、該パケットカウンタによる所定時間毎のパケット数に従って帯域要求情報を生成する上りパケット情報演算回路と、該上りパケット情報演算回路により生成した帯域要求情報及びポートリンク状態情報を含むパケットを前記局側通信装置へ送出するＰＯＮ制御部とを有し、前記局側通信装置は、前記加入者側通信装置からの帯域要求情報を保持する帯域要求情報保持メモリと、前記加入者側通信装置の登録により該加入者側通信装置に対する初期帯域割当てを行い、且つ前記帯域要求情報に従って帯域割当てを変更する上り帯域制御回路と、帯域割当通知を前記加入者側通信装置に送出するＰＯＮ制御部とを有することを特徴とするＰＯＮ伝送システム。
【００３４】
（付記２）前記加入者側通信装置の前記上りパケット情報演算回路は、前記パケットカウンタによる所定時間毎のカウント値の上位ビットのみを、前記局側通信装置に送信する帯域要求情報の上りパケット数情報とする構成を有することを特徴とする付記１記載のＰＯＮ伝送システム。
（付記３）前記加入者側通信装置の前記上りパケット情報演算回路は、前記パケットカウンタによる所定時間毎のカウント値の有効最上位ビット位置をアドレスポインタとして前記局側通信装置に送信する帯域要求情報の上りパケット数情報とする構成を有することを特徴とする付記１記載のＰＯＮ伝送システム。
【００３５】
（付記４）前記加入者側通信装置の前記上りパケット情報演算回路は、前記パケットカウンタによる所定時間毎のカウント値が設定値を超えたか否かを１ビットのフラグとして前記局側通信装置に送信する帯域要求情報の上りパケット数情報とする構成を有することを特徴とする付記１記載のＰＯＮ伝送システム。
（付記５）前記局側通信装置の前記上り帯域制御回路は、前記加入者側通信装置からの帯域要求情報により、予め設定した帯域割当比率に従った帯域を割当帯域として通知する構成を有することを特徴とする付記１記載のＰＯＮ伝送システム。
【００３６】
（付記６）前記局側通信装置の上り帯域制御回路は、前記加入者側通信装置の登録により該加入者側通信装置に対して初期帯域を割当て、ポートリンクＯＮの状態情報と前記帯域要求情報とにより割当帯域を算出して前記ＰＯＮ制御部を介して該加入者側通信装置に通知する構成を有することを特徴とする付記１記載のＰＯＮ伝送システム。
【００３７】
【発明の効果】
以上説明したように、本発明は、局側通信装置に登録した加入者側通信装置に対してのみ先ず初期帯域を割当て、ポートリンク状態及び上りパケット数情報を用いて帯域割当変更を行うもので、ダイナミックに帯域割当制御が可能となり、伝送帯域の有効利用を図ることができる。又帯域要求情報としては、上りパケット数をパケットカウンタによりカウントするハード構成で制御可能となるから、簡単な回路構成でシステムを構築できる利点がある。
【００３８】
又加入者側通信装置に於いて上りパケット数をカウントして、その上りパケット数情報を局側通信装置に帯域要求として通知するものであるから、局側通信装置に於いて集中管理する場合に比較して、ダイナミックに帯域割当てを行う為の局側通信装置の処理負荷を軽減することができる。
【００３９】
又加入者側通信装置に於いて上りパケット数をカウントし、その有効最上位ビット位置のみを局側通信装置に帯域要求情報として通知することにより、上りパケット数を通知する場合に比較して、ＰＯＮの制御領域の使用ビット数を削減することができる。或いは、同一使用ビット数とした時に、より多数の情報を通知することができる。
【図面の簡単な説明】
【図１】本発明の実施の形態の説明図である。
【図２】本発明の実施の形態の局側通信装置の要部説明図である。
【図３】本発明の実施の形態の加入者側通信装置の要部説明図である。
【図４】パケットカウンタの説明図である。
【図５】パケットの説明図である。
【図６】帯域割当処理フローチャートである。
【図７】帯域割当処理フローチャートである。
【図８】帯域割当シーケンス説明図である。
【図９】ＰＯＮ伝送システムの説明図である。
【符号の説明】
１　局側通信装置
２，２−１〜２−ｎ　加入者側通信装置
１１　ＰＯＮ制御部
１３　帯域要求情報保持メモリ
１４　上り帯域制御回路
１５　帯域制御タイミング制御部
２１　ＰＯＮ制御部
２３　パケットカウンタ
２４　上りパケット情報演算回路
２５　帯域要求タイミング制御部
【図１】
2004104278.tif 000003
【図２】
2004104278.tif 000004
【図３】
2004104278.tif 000005
【図４】
2004104278.tif 000006
【図５】
2004104278.tif 000007
【図６】
2004104278.tif 000008
【図７】
2004104278.tif 000009
【図８】
2004104278.tif 000010
【図９】
2004104278.tif 000011